(57)【特許請求の範囲】
【請求項１】
それぞれユーザインターフェース部を一側部に備える第１精算処理ユニット及び第２精算処理ユニットを有し、
前記第１精算処理ユニットと前記第２精算処理ユニットとが平面視において重複するように、前記第２精算処理ユニットの上方に前記第１精算処理ユニットが配置され、
且つ、
前記第１精算処理ユニットの前記ユーザインターフェース部と前記第２精算処理ユニットの前記ユーザインターフェース部とが互いに異なる側面に配置されている精算処理ユニット集合体。
【請求項２】
前記第１精算処理ユニットは、第１硬貨用釣銭機と第１紙幣用釣銭機とを有し、
前記第２精算処理ユニットは、第２硬貨用釣銭機と第２紙幣用釣銭機とを有する請求項１に記載の精算処理ユニット集合体。
【請求項３】
前記第１硬貨用釣銭機と前記第１紙幣用釣銭機とが互いに横並びに配置され、
前記第２硬貨用釣銭機と前記第２紙幣用釣銭機とが互いに横並びに配置されている請求項２に記載の精算処理ユニット集合体。
【請求項４】
前記第１精算処理ユニット及び前記第２精算処理ユニットの各々は、購買者による購買商品の精算処理を当該購買者が行うための釣銭ユニットである請求項１乃至３の何れか一項に記載の精算処理ユニット集合体。
【請求項５】
前記第１精算処理ユニット及び前記第２精算処理ユニットの各々は、購買者による購買商品の精算処理を店員が行うためのドロアである請求項１乃至３の何れか一項に記載の精算処理ユニット集合体。
【請求項６】
前記第１精算処理ユニットと前記第２精算処理ユニットとが搭載された架台を備える請求項１乃至５の何れか一項に記載の精算処理ユニット集合体。
【請求項７】
前記第１精算処理ユニットの前記ユーザインターフェース部が配置された側の領域と、前記第２精算処理ユニットの前記ユーザインターフェース部が配置された側の領域と、を相互に遮蔽する目隠し板を有する請求項６に記載の精算処理ユニット集合体。
【請求項８】
前記架台において、前記第１精算処理ユニットの前記ユーザインターフェース部が配置された側面である第１側面と、前記第２精算処理ユニットの前記ユーザインターフェース部が配置された側面である第２側面とは、互いに直交しており、
前記目隠し板は、前記第１側面及び前記第２側面の双方に対して交差する向きに配置されている請求項７に記載の精算処理ユニット集合体。
【請求項９】
前記第１精算処理ユニットにおける前記ユーザインターフェース部側の側面と、前記架台において前記第１精算処理ユニットの前記ユーザインターフェース部が配置された側面である第１側面と、が互いに面一であるとともに、
前記第２精算処理ユニットにおける前記ユーザインターフェース部側の側面と、前記架台において前記第２精算処理ユニットの前記ユーザインターフェース部が配置された側面である第２側面と、が互いに面一である請求項６乃至８の何れか一項に記載の精算処理ユニット集合体。
【請求項１０】
前記第１精算処理ユニットの前記ユーザインターフェース部を使用する第１ユーザ用の第１荷置台と、
前記第２精算処理ユニットの前記ユーザインターフェース部を使用する第２ユーザ用の第２荷置台と、
が前記架台に設けられている請求項６乃至９の何れか一項に記載の精算処理ユニット集合体。
【請求項１１】
前記第１荷置台と前記第２荷置台とが互いに同じ高さに配置されている請求項１０に記載の精算処理ユニット集合体。
【請求項１２】
前記第１荷置台の方が前記第２荷置台よりも高い位置に配置されている請求項１０に記載の精算処理ユニット集合体。
【請求項１３】
前記架台は、前記第１精算処理ユニットの前記ユーザインターフェース部が配置された側面である第１側面と、前記第２精算処理ユニットの前記ユーザインターフェース部が配置された側面である第２側面と、前記第１側面とは反対向きの第３側面と、前記第２側面とは反対向きの第４側面と、を有し、
前記第３側面には、前記架台の内部における前記第１精算処理ユニットの配置領域と連通している第１開口が形成されているとともに、当該第３側面に対して着脱可能に取り付けられて前記第１開口を閉塞する第１蓋部が設けられ、
前記第４側面には、前記架台の内部における前記第２精算処理ユニットの配置領域と連通している第２開口が形成されているとともに、当該第４側面に対して着脱可能に取り付けられて前記第２開口を閉塞する第２蓋部が設けられている請求項６乃至１２の何れか一項に記載の精算処理ユニット集合体。
【請求項１４】
前記架台は、前記第１精算処理ユニットの前記ユーザインターフェース部が配置された側面である第１側面と、前記第２精算処理ユニットの前記ユーザインターフェース部が配置された側面である第２側面と、前記第１側面とは反対向きの第３側面と、前記第２側面とは反対向きの第４側面と、を有し、
前記第３側面には、前記第２荷置台が設けられ、
前記第４側面には、前記第１荷置台が設けられ、
前記第３側面には、前記架台の内部における前記第１精算処理ユニットの配置領域と連通している第１開口が前記第２荷置台よりも上側に形成されているとともに、当該第３側面に対して着脱可能に取り付けられて前記第１開口を閉塞する第１蓋部が設けられ、
前記第４側面には、前記架台の内部における前記第２精算処理ユニットの配置領域と連通している第２開口が前記第１荷置台よりも上側に形成されているとともに、当該第４側面に対して着脱可能に取り付けられて前記第２開口を閉塞する第２蓋部が設けられている請求項１０乃至１２の何れか一項に記載の精算処理ユニット集合体。
【請求項１５】
前記第１精算処理ユニットを使用する第１ユーザ用の第１ディスプレイと、
前記第２精算処理ユニットを使用する第２ユーザ用の第２ディスプレイと、
が前記架台に搭載されている請求項６乃至１４の何れか一項に記載の精算処理ユニット集合体。
【請求項１６】
前記第１ディスプレイと前記第２ディスプレイとが互いに同じ高さに配置されている請求項１５に記載の精算処理ユニット集合体。
【請求項１７】
前記第１ディスプレイの方が前記第２ディスプレイよりも高い位置に配置されている請求項１５に記載の精算処理ユニット集合体。
【請求項１８】
それぞれユーザインターフェース部を一側部に備える第１精算処理ユニット及び第２精算処理ユニットが搭載される架台であって、
当該架台の複数の側面の各々には、前記第１精算処理ユニット及び前記第２精算処理ユニットの一方ずつが挿入される挿入穴が形成され、
当該架台の一の側面の前記挿入穴に前記第１精算処理ユニットが挿入され、当該架台の他の側面の前記挿入穴に前記第２精算処理ユニットが挿入されることにより、
前記第１精算処理ユニットと前記第２精算処理ユニットとが平面視において重複するとともに、前記第２精算処理ユニットの上方に前記第１精算処理ユニットが配置され、且つ、前記第１精算処理ユニットの前記ユーザインターフェース部と、前記第２精算処理ユニットの前記ユーザインターフェース部と、が当該架台の互いに異なる側面に配置される、精算処理ユニット集合体用の架台。
【請求項１９】
当該架台の前記複数の側面には、第１側面と、前記第１側面に対して直交する第２側面と、前記第１側面とは反対向きの第３側面と、前記第２側面とは反対向きの第４側面と、の４つの側面が含まれ、
前記４つの側面の各々に、前記挿入穴が形成されている請求項１８に記載の精算処理ユニット集合体用の架台。
【請求項２０】
当該架台の前記複数の側面に対して、それぞれ着脱可能に取り付けられて、前記挿入穴を閉塞することが可能な、複数の挿入穴用蓋部を備える請求項１８又は１９に記載の精算処理ユニット集合体用の架台。
【発明の詳細な説明】
【技術分野】
【０００１】
本発明は、精算処理ユニット集合体及び精算処理ユニット集合体用の架台に関する。
【背景技術】
【０００２】
店舗で買い物を行う来店客（以下、購買者）が購買する商品（以下、購買商品）の精算処理は、店舗内に設置されたレジを用いて行うことが一般的である。
【０００３】
近年では、購買商品の登録処理は店員が商品登録装置を用いて行い、登録済みの購買商品の精算処理は、購買者が所謂セミセルフレジを用いて行うという販売形態も存在する（特許文献１を参照）。
【０００４】
なお、特許文献２、３には、釣銭装置について記載されている。
【先行技術文献】
【特許文献】
【０００５】
【特許文献１】特開２０１３−２１８４３７号公報
【特許文献２】特開２０１０−１４０１４２号公報
【特許文献３】特開２０１２−１６４２８２号公報
【発明の概要】
【発明が解決しようとする課題】
【０００６】
ところで、多数の購買者の精算処理をスムーズに行うためには、セミセルフレジやレジといった精算処理装置を店舗内になるべく多く設置し、なるべく多くの精算処理を並行して行うことができるようにすることが望まれる。
しかし、店舗内のスペースは限られているため、設置可能な精算処理装置の台数には制約がある。
【０００７】
本発明の目的は、限られた設置スペースでより多くの精算処理を並行して行うことを可能とする精算処理ユニット集合体、及び、そのような精算処理ユニット集合体用の架台を提供することにある。
【課題を解決するための手段】
【０００８】
本発明は、
それぞれユーザインターフェース部を一側部に備える第１精算処理ユニット及び第２精算処理ユニットを有し、
前記第１精算処理ユニットと前記第２精算処理ユニットとが平面視において重複するように、前記第２精算処理ユニットの上方に前記第１精算処理ユニットが配置され、
且つ、
前記第１精算処理ユニットの前記ユーザインターフェース部と前記第２精算処理ユニットの前記ユーザインターフェース部とが互いに異なる側面に配置されている精算処理ユニット集合体を提供する。
【０００９】
また、本発明は、
それぞれユーザインターフェース部を一側部に備える第１精算処理ユニット及び第２精算処理ユニットが搭載される架台であって、
当該架台の複数の側面の各々には、前記第１精算処理ユニット及び前記第２精算処理ユニットの一方ずつが挿入される挿入穴が形成され、
当該架台の一の側面の前記挿入穴に前記第１精算処理ユニットが挿入され、当該架台の他の側面の前記挿入穴に前記第２精算処理ユニットが挿入されることにより、
前記第１精算処理ユニットと前記第２精算処理ユニットとが平面視において重複するとともに、前記第２精算処理ユニットの上方に前記第１精算処理ユニットが配置され、且つ、前記第１精算処理ユニットの前記ユーザインターフェース部と、前記第２精算処理ユニットの前記ユーザインターフェース部と、が当該架台の互いに異なる側面に配置される、精算処理ユニット集合体用の架台を提供する。
【発明の効果】
【００１０】
本発明によれば、限られた設置スペースでより多くの精算処理を並行して行うことが可能となる。
また、限られた設置スペースでより多くの精算処理を並行して行うことを可能とする精算処理ユニット集合体を容易に構築することができる。
【図面の簡単な説明】
【００１１】
【図１】第１の実施形態に係る精算処理ユニット集合体の斜視図である。
【図２】図１の矢印Ａ方向から見た精算処理ユニット集合体の側面図である。
【図３】図１の矢印Ｂ方向から見た精算処理ユニット集合体の側面図である。
【図４】図１の矢印Ｃ方向から見た精算処理ユニット集合体の側面図である。
【図５】図１の矢印Ｄ方向から見た精算処理ユニット集合体の側面図である。
【図６】第１の実施形態に係る精算処理ユニット集合体の平面図である。
【図７】第１の実施形態に係る精算処理ユニット集合体における第１精算処理ユニット及び第２精算処理ユニットの配置を示す模式的な斜視図である。
【図８】第１の実施形態に係る精算処理ユニット集合体用の架台の斜視図である。
【図９】第１の実施形態に係る精算処理ユニット集合体の使用例を説明するための模式的な平面図である。
【図１０】第２の実施形態に係る精算処理ユニット集合体を手前側から見た斜視図である。
【図１１】第２の実施形態に係る精算処理ユニット集合体を奧側から見た斜視図である。
【図１２】第２の実施形態に係る精算処理ユニット集合体における第１精算処理ユニット及び第２精算処理ユニットの配置を示す模式的な斜視図である。
【図１３】第２の実施形態に係る精算処理ユニット集合体用の架台の斜視図である。
【発明を実施するための形態】
【００１２】
以下、本発明の実施形態について、図面を用いて説明する。なお、すべての図面において、同様の構成要素には同一の符号を付し、適宜に説明を省略する。
【００１３】
〔第１の実施形態〕
図１は第１の実施形態に係る精算処理ユニット集合体１０００の斜視図である。
図２は図１の矢印Ａ方向から見た精算処理ユニット集合体１０００の側面図である。
図３は図１の矢印Ｂ方向から見た精算処理ユニット集合体１０００の側面図である。
図４は図１の矢印Ｃ方向から見た精算処理ユニット集合体１０００の側面図である。
図５は図１の矢印Ｄ方向から見た精算処理ユニット集合体１０００の側面図である。
図６は第１の実施形態に係る精算処理ユニット集合体１０００の平面図である。
図７は第１の実施形態に係る精算処理ユニット集合体１０００における第１精算処理ユニット１００及び第２精算処理ユニット２００の配置を示す模式的な斜視図である。
図８は第１の実施形態に係る精算処理ユニット集合体用の架台５００の斜視図である。
図９は第１の実施形態に係る精算処理ユニット集合体１０００の使用例を説明するための模式的平面図である。
【００１４】
本実施形態に係る精算処理ユニット集合体１０００は、それぞれユーザインターフェース部３００を一側部に備える第１精算処理ユニット１００及び第２精算処理ユニット２００を有する。
第１精算処理ユニット１００と第２精算処理ユニット２００とが平面視において重複するように、第２精算処理ユニット２００の上方に第１精算処理ユニット１００が配置されている。換言すれば、第１精算処理ユニット１００と第２精算処理ユニット２００とは互いに段違いに配置され、且つ、第２精算処理ユニット２００の上に第１精算処理ユニット１００が重ねて配置されている。
更に、第１精算処理ユニット１００のユーザインターフェース部３００（以下、第１ユーザインターフェース部３００Ａと称する場合がある）と第２精算処理ユニット２００のユーザインターフェース部３００（以下、第２ユーザインターフェース部３００Ｂと称する場合がある）とが精算処理ユニット集合体１０００の互いに異なる側面に配置されている。
【００１５】
精算処理ユニット集合体１０００は、例えば、第１精算処理ユニット１００と第２精算処理ユニット２００とが搭載された架台５００を備える。
架台５００は、筐体であっても良いし、棚であっても良い。本実施形態では、架台５００は、筐体であるものとする。
架台５００の各側面は、精算処理ユニット集合体１０００の各側面でもある。
本実施形態の場合、第１ユーザインターフェース部３００Ａは架台５００の第１側面５１０に配置され、第２ユーザインターフェース部３００Ｂは架台５００の第２側面５２０に配置されている。
【００１６】
このため、第１精算処理ユニット１００を使用する第１ユーザは、架台５００の第１側面５１０の前に位置して第１ユーザインターフェース部３００Ａを扱い、精算処理を行うことができる。また、それと並行して、第２精算処理ユニット２００を使用する第２ユーザは、架台５００の第２側面５２０の前に位置して第２ユーザインターフェース部３００Ｂを扱い、精算処理を行うことができる。
つまり、１台の精算処理ユニット集合体１０００があれば、第１ユーザの精算処理と第２ユーザの精算処理とを並行して行うことが可能となる。
よって、複数の精算処理をスムーズに行うことができる。
【００１７】
以下、詳細に説明する。
【００１８】
精算処理ユニット集合体１０００は、例えば、購買者による購買商品の精算処理を当該購買者が行うためのセミセルフレジ（セミセルフレジスター装置）、又は、購買者による購買商品の精算処理を店員が行うためのレジ（レジスター装置）であることが挙げられる。
精算処理ユニット集合体１０００がセミセルフレジの場合、第１精算処理ユニット１００及び第２精算処理ユニット２００の各々は、購買者による購買商品の精算処理を当該購買者が行うための釣銭ユニット（自動釣銭ユニット）である。
一方、精算処理ユニット集合体１０００がレジの場合、第１精算処理ユニット１００及び第２精算処理ユニット２００の各々は、購買者による購買商品の精算処理を店員が行うためのドロアである。
本実施形態では、精算処理ユニット集合体１０００がセミセルフレジであるものとして、以下の説明を行う。
【００１９】
ユーザインターフェース部３００とは、精算処理のために第１精算処理ユニット１００及び第２精算処理ユニット２００を扱うユーザが、例えば、現金の入金、お釣りの受け取り、支払い用のカード（クレジットカード、デビットカード等）の挿入、或いは、カードの暗証番号の入力等の、各種の処理を行う部分である。
【００２０】
図１乃至図５に示すように、架台５００は、例えば、第１側面５１０と、第２側面５２０と、第３側面５３０と、第４側面５４０と、の４つの側面を有する。
第１側面５１０と第２側面５２０とは相互に直交している。
第３側面５３０は、第１側面５１０とは反対向きの側面である。
第４側面５４０は、第２側面５２０とは反対向きの側面である。従って、第４側面５４０は、第１側面５１０に対して直交している。
より詳しくは、架台５００の側面は、更に、第１側面５１０と第２側面５２０との間の角部を面取りしてなる面取り面５６０を含んでいる。面取り面５６０は、例えば、第１側面５１０及び第２側面５２０に対して４５度の配置となっている。
各側面５１０、５２０、５３０、５４０及び面取り面５６０は、例えば、鉛直に起立している。
このため、架台５００は、例えば、平面視において、矩形の１つの角が斜めに切り欠かれた形状の五角形状に形成されている。
更に、架台５００は、上面５５０を有している。一例として、上面５５０は、水平且つ平坦に形成されている。
【００２１】
第１精算処理ユニット１００のユーザインターフェース部３００である第１ユーザインターフェース部３００Ａは、第１側面５１０に配置されている。
一方、第２精算処理ユニット２００のユーザインターフェース部３００である第２ユーザインターフェース部３００Ｂは、第２側面５２０に配置されている。
すなわち、本実施形態の場合、第１ユーザインターフェース部３００Ａと第２ユーザインターフェース部３００Ｂとは、互いに直交する第１側面５１０及び第２側面５２０にそれぞれ配置されている。
【００２２】
より具体的には、例えば、第１精算処理ユニット１００における第１ユーザインターフェース部３００Ａ側の側面１１０と、架台５００において第１精算処理ユニット１００の第１ユーザインターフェース部３００Ａが配置された側面である第１側面５１０と、が互いに面一となっている。
同様に、例えば、第２精算処理ユニット２００における第２ユーザインターフェース部３００Ｂ側の側面２１０と、架台５００において第２精算処理ユニット２００の第２ユーザインターフェース部３００Ｂが配置された側面である第２側面５２０と、が互いに面一となっている。
これにより、精算処理ユニット集合体１０００における第１側面５１０側及び第２側面５２０側がすっきりした外観となっているとともに、店内を移動する人やカートなどが第１精算処理ユニット１００及び第２精算処理ユニット２００にぶつかってしまうことを抑制できる。
【００２３】
ここで、第１側面５１０において、第１精算処理ユニット１００が配置されている部分および当該部分よりも上側の部分（以下、第１上側側面５１５）は、第１側面５１０における他の部分（下部）よりも奧（第３側面５３０側）に位置している。
このため、第１ユーザインターフェース部３００Ａの上面は、精算処理ユニット集合体１０００の上面側に露出している。すなわち、第２ユーザインターフェース部３００Ｂの硬貨投入口３１１は、精算処理ユニット集合体１０００の上面側に露出している。
【００２４】
同様に、第２側面５２０において、第２精算処理ユニット２００が配置されている部分および当該部分よりも上側の部分（以下、第２上側側面５２５）は、第２側面５２０における他の部分（下部）よりも奧（第４側面５４０側）に位置している。
このため、第２ユーザインターフェース部３００Ｂの上面は、精算処理ユニット集合体１０００の上面側に露出している。すなわち、第２ユーザインターフェース部３００Ｂの硬貨投入口３１１は、精算処理ユニット集合体１０００の上面側に露出している。
【００２５】
第１精算処理ユニット１００は、第１硬貨用釣銭機３１０Ａと第１紙幣用釣銭機３２０Ａとを有している。
同様に、第２精算処理ユニット２００は、第２硬貨用釣銭機３１０Ｂと第２紙幣用釣銭機３２０Ｂとを有している。
【００２６】
第１硬貨用釣銭機３１０Ａ及び第２硬貨用釣銭機３１０Ｂの各々は、精算のために入金される硬貨を受け容れる硬貨投入口３１１と、硬貨投入口３１１に投入された硬貨のうち、傷、変形或いは認識エラー等のために金種判別できなかった硬貨が排出される硬貨リジェクト口３１２と、硬貨の釣銭が排出される硬貨出金口３１３と、を有する。
【００２７】
第１紙幣用釣銭機３２０Ａ及び第２紙幣用釣銭機３２０Ｂの各々は、紙幣の入金の受け容れと紙幣の釣銭（釣札ともいう）の排出とを行う紙幣入出金口３２１を有する。
【００２８】
第１硬貨用釣銭機３１０Ａと第１紙幣用釣銭機３２０Ａとは、互いに横並びに配置されている。
ここで、第１硬貨用釣銭機３１０Ａと第１紙幣用釣銭機３２０Ａとが互いに横並びに配置されているとは、第１硬貨用釣銭機３１０Ａと第１紙幣用釣銭機３２０Ａとが高さ方向で互いに重複（少なくとも一部分どうしが重複）した位置に配置されていることを意味する。
より好ましくは、第１硬貨用釣銭機３１０Ａ及び第１紙幣用釣銭機３２０Ａの上面どうしが互いに同じ高さに配置されていたり、第１硬貨用釣銭機３１０Ａ及び第１紙幣用釣銭機３２０Ａの下面どうしが互いに同じ高さに配置されていたりする。
本実施形態の場合、第１硬貨用釣銭機３１０Ａ及び第１紙幣用釣銭機３２０Ａの上面どうしが互いに同じ高さに配置されている。ただし、第１硬貨用釣銭機３１０Ａ及び第１紙幣用釣銭機３２０Ａの下面どうしは互いに異なる高さに配置されており、具体的には、例えば、第１硬貨用釣銭機３１０Ａの下面よりも第１紙幣用釣銭機３２０Ａの下面の方が高い位置に配置されている。
また、第１硬貨用釣銭機３１０Ａと第１紙幣用釣銭機３２０Ａとは、横方向において互いに隣接して配置されていることが好ましい。
具体的には、例えば、図１の矢印Ａ方向に第１精算処理ユニット１００を見たとき、第１硬貨用釣銭機３１０Ａの右隣に第１紙幣用釣銭機３２０Ａが配置されている。
【００２９】
同様に、第２硬貨用釣銭機３１０Ｂと第２紙幣用釣銭機３２０Ｂとは、互いに横並びに配置されている。
すなわち、第２硬貨用釣銭機３１０Ｂと第２紙幣用釣銭機３２０Ｂとは、高さ方向で互いに重複した位置に配置されている。
より好ましくは、第２硬貨用釣銭機３１０Ｂ及び第２紙幣用釣銭機３２０Ｂの上面どうしが互いに同じ高さに配置されていたり、第２硬貨用釣銭機３１０Ｂ及び第２紙幣用釣銭機３２０Ｂの下面どうしが互いに同じ高さに配置されていたりする。
本実施形態の場合、第２硬貨用釣銭機３１０Ｂ及び第２紙幣用釣銭機３２０Ｂの上面どうしが互いに同じ高さに配置されている。ただし、第２硬貨用釣銭機３１０Ｂ及び第２紙幣用釣銭機３２０Ｂの下面どうしは互いに異なる高さに配置されており、具体的には、例えば、第２硬貨用釣銭機３１０Ｂの下面よりも第２紙幣用釣銭機３２０Ｂの下面の方が高い位置に配置されている。
また、第２硬貨用釣銭機３１０Ｂと第２紙幣用釣銭機３２０Ｂとは、横方向において互いに隣接して配置されていることが好ましい。
具体的には、例えば、図１の矢印Ｂ方向に第２精算処理ユニット２００を見たとき、第２硬貨用釣銭機３１０Ｂの右隣に第２紙幣用釣銭機３２０Ｂが配置されている。
【００３０】
第１精算処理ユニット１００は、更に、クレジットカード又はデビットカードなどのカードを用いて精算を行うための第１カード精算用処理部３３０Ａを有する。
同様に、第２精算処理ユニット２００は、更に、クレジットカード又はデビットカードなどのカードを用いて精算を行うための第２カード精算用処理部３３０Ｂを有する。
【００３１】
第１カード精算用処理部３３０Ａ及び第２カード精算用処理部３３０Ｂの各々は、カードが挿入されるカード挿入口３３１と、暗証番号等の入力操作を受け付けるテンキーなどの入力操作部３３２と、を有する。
【００３２】
第１カード精算用処理部３３０Ａは、第１硬貨用釣銭機３１０Ａ及び第１紙幣用釣銭機３２０Ａと横並びに配置されていることが好ましい。
具体的には、例えば、図１の矢印Ａ方向に第１精算処理ユニット１００を見たとき、図２に示すように、第１紙幣用釣銭機３２０Ａの右隣に第１カード精算用処理部３３０Ａが配置されている。
【００３３】
同様に、第２カード精算用処理部３３０Ｂは、第２硬貨用釣銭機３１０Ｂ及び第２紙幣用釣銭機３２０Ｂと横並びに配置されていることが好ましい。
具体的には、例えば、図１の矢印Ｂ方向に第２精算処理ユニット２００を見たとき、図３に示すように、第２紙幣用釣銭機３２０Ｂの右隣に第２カード精算用処理部３３０Ｂが配置されている。
【００３４】
ここで、第１ユーザインターフェース部３００Ａは、第１硬貨用釣銭機３１０Ａの硬貨投入口３１１、硬貨リジェクト口３１２及び硬貨出金口３１３と、第１紙幣用釣銭機３２０Ａの紙幣入出金口３２１と、第１カード精算用処理部３３０Ａのカード挿入口３３１及び入力操作部３３２と、を含んでいる。すなわち、これらの各構成は、架台５００の第１側面５１０に配置されている（或いは第１側面５１０側に配置されている）。
【００３５】
同様に、第２ユーザインターフェース部３００Ｂは、第２硬貨用釣銭機３１０Ｂの硬貨投入口３１１、硬貨リジェクト口３１２及び硬貨出金口３１３と、第２紙幣用釣銭機３２０Ｂの紙幣入出金口３２１と、第２カード精算用処理部３３０Ｂのカード挿入口３３１及び入力操作部３３２と、を含んでいる。すなわち、これらの各構成は、架台５００の第２側面５２０に配置されている（或いは第２側面５２０側に配置されている）。
【００３６】
各硬貨投入口３１１は、第１ユーザインターフェース部３００Ａ及び第２ユーザインターフェース部３００Ｂの上面に配置されており、それぞれ上方に向けて開口している。
各硬貨リジェクト口３１２は、各硬貨投入口３１１の下方において第１ユーザインターフェース部３００Ａ及び第２ユーザインターフェース部３００Ｂの前面側（一側面側）に配置されている。
各硬貨出金口３１３は、第１ユーザインターフェース部３００Ａ及び第２ユーザインターフェース部３００Ｂの前面側（一側面側）において、例えば、各硬貨リジェクト口３１２の横隣（例えば右隣）に配置されている。
【００３７】
各紙幣入出金口３２１は、第１ユーザインターフェース部３００Ａ及び第２ユーザインターフェース部３００Ｂの前面側（一側面側）に配置されている。
【００３８】
各カード挿入口３３１は、第１ユーザインターフェース部３００Ａ及び第２ユーザインターフェース部３００Ｂの前面側（一側面側）に配置されている。各入力操作部３３２は、例えば、各カード挿入口３３１の上方において、上側を向いて配置されている。
【００３９】
精算処理ユニット集合体１０００は、更に、第１精算処理ユニット１００を使用する第１ユーザ用の第１ディスプレイ７００Ａと、第２精算処理ユニット２００を使用する第２ユーザ用の第２ディスプレイ７００Ｂと、を備えている。これら第１ディスプレイ７００Ａ及び第２ディスプレイ７００Ｂは、架台５００に搭載されている。
より具体的には、例えば、第１ディスプレイ７００Ａは、上面５５０における第１側面５１０側の領域に載置され、第２ディスプレイ７００Ｂは、上面５５０における第２側面５２０側の領域に載置されている。
第１ディスプレイ７００Ａは、例えば、その表示画面が第１側面５１０と平行に配置されている。
第２ディスプレイ７００Ｂは、例えば、その表示画面が第２側面５２０と平行に配置されている。
なお、上面５５０は水平であるため、第１ディスプレイ７００Ａと第２ディスプレイ７００Ｂとは互いに同じ高さに配置されている。
【００４０】
第１ディスプレイ７００Ａ及び第２ディスプレイ７００Ｂは、各種の表示を行うものである。
第１ディスプレイ７００Ａ及び第２ディスプレイ７００Ｂは、例えば、タッチパネルとすることができる。この場合、第１ユーザ及び第２ユーザは、第１ディスプレイ７００Ａ及び第２ディスプレイ７００Ｂに対するタッチ操作により、例えば、精算処理の開始を指示したり、精算の方法（例えば、現金、クレジットカード、デビットカードの何れで支払うか）の選択を行ったり、店員の呼出を行ったりすることができるようになっている。
【００４１】
精算処理ユニット集合体１０００は、更に、第１精算処理ユニット１００を使用する第１ユーザ用の第１レシート印刷機８００Ａと、第２精算処理ユニット２００を使用する第２ユーザ用の第２レシート印刷機８００Ｂと、を備えている。
第１レシート印刷機８００Ａは、第１ユーザが精算を終えたときに、レシートを印刷し、出力する。
同様に、第２レシート印刷機８００Ｂは、第２ユーザが精算を終えたときに、レシートを印刷し、出力する。
第１レシート印刷機８００Ａは、例えば、上面５５０における第１側面５１０側の領域に載置されており、より具体的には、例えば、図１の矢印Ａ方向に精算処理ユニット集合体１０００を見たとき、第１ディスプレイ７００Ａの隣（例えば左隣）に第１レシート印刷機８００Ａが配置されている。
同様に、第２レシート印刷機８００Ｂは、例えば、上面５５０における第２側面５２０側の領域に載置されており、より具体的には、例えば、図１の矢印Ｂ方向に精算処理ユニット集合体１０００を見たとき、第２ディスプレイ７００Ｂの隣（例えば左隣）に第２レシート印刷機８００Ｂが配置されている。
【００４２】
精算処理ユニット集合体１０００は、更に、第１精算処理ユニット１００を使用する第１ユーザ用の第１呼出ランプ部９００Ａと、第２精算処理ユニット２００を使用する第２ユーザ用の第２呼出ランプ部９００Ｂと、を備えている。
第１呼出ランプ部９００Ａ及び第２呼出ランプ部９００Ｂの形態は、特に限定されないが、一例として、架台５００に立設（例えば、上面５５０に立設）された柱状の形状をなし、その上端部にＬＥＤランプ等の発光表示部を有している。
例えば、第１呼出ランプ部９００Ａは、上面５５０における第１側面５１０側の領域に立設され、第２呼出ランプ部９００Ｂは、上面５５０における第２側面５２０側の領域に立設されている。
第１ユーザによる精算処理に関連するエラー（例えば、硬貨や紙幣の詰まり、お釣りの不足、レシートの紙詰まり等）が生じた場合や、第１ユーザがタッチパネルとしての第１ディスプレイ７００Ａを操作して店員を呼び出す場合などに、第１呼出ランプ部９００Ａの発光表示部が発光するようになっている。
同様に、第２ユーザによる精算処理に関連するエラーが生じた場合や、第２ユーザがタッチパネルとしての第２ディスプレイ７００Ｂを操作して店員を呼び出す場合などに、第２呼出ランプ部９００Ｂが発光表示部が発光するようになっている。
【００４３】
なお、第１ディスプレイ７００Ａ、第１レシート印刷機８００Ａ及び第１呼出ランプ部９００Ａは、第１精算処理ユニット１００の上方の位置に配置されている。
一方、第２ディスプレイ７００Ｂ、第２レシート印刷機８００Ｂ及び第２呼出ランプ部９００Ｂは、第１精算処理ユニット１００の上方、且つ、第２精算処理ユニット２００の上方の位置に配置されている。
【００４４】
精算処理ユニット集合体１０００は、更に、目隠し板４００を有している。目隠し板４００は、第１精算処理ユニット１００の第１ユーザインターフェース部３００Ａが配置された側の領域と、第２精算処理ユニット２００の第２ユーザインターフェース部３００Ｂが配置された側の領域と、を相互に遮蔽（視覚的に遮蔽）するものである。
このため、第１ユーザ及び第２ユーザは、互いの視線を気にすることなく、精算処理を行うことができる。特に、クレジットカードなどを用いて精算処理を行う場合における暗証番号の入力操作の際に、他者の視線が気にならないようにすることができる。
【００４５】
より具体的には、例えば、目隠し板４００は、第１ディスプレイ７００Ａ、第１レシート印刷機８００Ａ及び第１呼出ランプ部９００Ａが配置された領域１１００Ａと、第２ディスプレイ７００Ｂ、第２レシート印刷機８００Ｂ及び第２呼出ランプ部９００Ｂが配置された領域１１００Ｂとを相互に仕切っている（図６参照）。
【００４６】
目隠し板４００は、例えば、架台５００の上面よりも上方に起立した状態（例えば鉛直に起立した状態）に配置されている。更に、目隠し板４００は、図１に示すように、第１上側側面５１５と第２上側側面５２５との角部よりも、面取り面５６０側に延出していることが好ましい。
【００４７】
目隠し板４００は、不透明な板部材であっても良いし、半透明又は透明な板部材であっても良い。ただし、目隠し板４００が透明である場合には、色付きのものであることが好ましい。
【００４８】
上記のように、本実施形態の場合、架台５００において、第１精算処理ユニット１００の第１ユーザインターフェース部３００Ａが配置された側面である第１側面５１０と、第２精算処理ユニット２００の第２ユーザインターフェース部３００Ｂが配置された側面である第２側面５２０とは、互いに直交している。
この場合、目隠し板４００は、図１及び図６に示すように、第１側面５１０及び第２側面５２０の双方に対して交差する向きに配置されていることが好ましい。
目隠し板４００は、第１側面５１０に対して３０度以上６０度以下の角度で配置されていることが好ましく、第１側面５１０及び第２側面５２０の双方に対して４５度の角度に配置されていることが更に好ましい。
【００４９】
精算処理ユニット集合体１０００は、更に、第１精算処理ユニット１００の第１ユーザインターフェース部３００Ａを使用する第１ユーザ用の第１荷置台６００Ａと、第２精算処理ユニット２００の第２ユーザインターフェース部３００Ｂを使用する第２ユーザ用の第２荷置台６００Ｂと、を有している。これら第１荷置台６００Ａ及び第２荷置台６００Ｂは、架台５００に設けられている。
第１荷置台６００Ａ及び第２荷置台６００Ｂは、例えば、板状に形成されており、その一端部が架台５００の側面に固定されることにより、各々の上面が水平に配置され、且つ、他端側が架台５００の側面から外方に突出している。
より具体的には、第１荷置台６００Ａは、例えば、その一端部が第３側面５３０に固定され、他端側は、第３側面５３０を基準として第２側面５２０側とは反対側に突出している。
一方、第２荷置台６００Ｂは、例えば、その一端部が第４側面５４０に固定され、他端側は、第４側面５４０を基準として第１側面５１０側とは反対側に突出している。
第１荷置台６００Ａ及び第２荷置台６００Ｂの平面形状は、特に限定されないが、それぞれ矩形状（角丸の矩形状など）であることが好ましい。
第１荷置台６００Ａ及び第２荷置台６００Ｂには、それぞれ買い物カゴなどの荷物を載置できるようになっている。
【００５０】
本実施形態の場合、第１荷置台６００Ａと第２荷置台６００Ｂとは、例えば、互いに同じ高さに配置されている。
【００５１】
ここで、図４に示すように、第３側面５３０には、架台５００の内部における第１精算処理ユニット１００の配置領域と連通している第１開口５３１が形成されているとともに、当該第３側面５３０に対して着脱可能に取り付けられて第１開口５３１を閉塞する第１蓋部５３２が設けられている。
第１精算処理ユニット１００の背面側からは、図示しないケーブルが引き出されており、第３側面５３０から第１蓋部５３２を取り外して第１開口５３１を開いた状態で、該第１開口５３１を介してこれらケーブルの配線等の作業を行うことができるようになっている。例えば、第１精算処理ユニット１００のケーブルは、上面５５０上に引き出すことができるようになっている。
同様に、図５に示すように、第４側面５４０には、架台５００の内部における第２精算処理ユニット２００の配置領域と連通している第２開口５４１が形成されているとともに、当該第４側面５４０に対して着脱可能に取り付けられて第２開口５４１を閉塞する第２蓋部５４２が設けられている。
第２精算処理ユニット２００の背面側からは、図示しないケーブルが引き出されており、第４側面５４０から第２蓋部５４２を取り外して第２開口５４１を開いた状態で、該第２開口５４１を介してこれらケーブルの配線等の作業を行うことができるようになっている。例えば、第２精算処理ユニット２００のケーブルは、上面５５０上に引き出すことができるようになっている。
【００５２】
より具体的には、例えば、第３側面５３０の第１開口５３１は、第２荷置台６００Ｂよりも上側に形成されている（図４）。これにより、第２荷置台６００Ｂが、第１開口５３１を介した各種の作業の妨げとなることを抑制できる。
同様に、例えば、第４側面５４０の第２開口５４１は、第１荷置台６００Ａよりも上側に形成されている（図５）。これにより、第１荷置台６００Ａが、第２開口５４１を介した各種の作業の妨げとなることを抑制できる。
【００５３】
第１精算処理ユニット１００と第２精算処理ユニット２００とは、互いに同様のものであることが好ましい。すなわち、第１精算処理ユニット１００と第２精算処理ユニット２００とは、互いに同じ機能を有しているとともに、同一の形状及び寸法に形成されていることが好ましい。
【００５４】
図７に示すように、第１精算処理ユニット１００及び第２精算処理ユニット２００の各々は、例えば、扁平な直方体形状に形成されている。
そして、第１精算処理ユニット１００の側面１１０と第２精算処理ユニット２００の側面２１０とが互いに直交する向きで、第１精算処理ユニット１００及び第２精算処理ユニット２００が配置されている。
【００５５】
例えば、第１精算処理ユニット１００の一側部に位置する第１ユーザインターフェース部３００Ａは、第２精算処理ユニット２００の上方の空間よりも、第１側面５１０側（つまり側面１１０側）にはみ出している（突出している）。
同様に、第２精算処理ユニット２００の一側部に位置する第２ユーザインターフェース部３００Ｂは、第１精算処理ユニット１００の下方の空間よりも、第２側面５２０側（つまり側面２１０側）にはみ出している（突出している）。
【００５６】
次に、図８を用いて、本実施形態に係る精算処理ユニット集合体用の架台５００について説明する。
【００５７】
この架台５００は、上述した第１側面５１０、第２側面５２０、第３側面５３０、第４側面５４０、上面５５０、面取り面５６０、第１上側側面５１５及び第２上側側面５２５を備えている。
【００５８】
架台５００には、第１精算処理ユニット１００及び第２精算処理ユニット２００を搭載することが可能となっている。
架台５００の複数の側面の各々には、第１精算処理ユニット１００及び第２精算処理ユニット２００の一方ずつが挿入される挿入穴が形成されている。すなわち、第１側面５１０には挿入穴５１１が形成され、第２側面５２０には挿入穴５２１が形成されている。
【００５９】
例えば、第１精算処理ユニット１００を、その奥側の部分から、挿入穴５１１に対して水平に挿入し、所定の深さまで押し込むことにより、図１に示すように第１精算処理ユニット１００が架台５００に搭載された状態となる。
同様に、第２精算処理ユニット２００を、その奥側の部分から、挿入穴５２１に対して水平に挿入し、所定の深さまで押し込むことにより、図１に示すように第２精算処理ユニット２００が架台５００に搭載された状態となる。
【００６０】
第１側面５１０の挿入穴５１１に第１精算処理ユニット１００が挿入され、第２側面５２０の挿入穴５２１に第２精算処理ユニット２００が挿入されることにより、第１精算処理ユニット１００と第２精算処理ユニット２００とが平面視において重複するとともに、第２精算処理ユニット２００の上方に第１精算処理ユニット１００が配置され、且つ、第１精算処理ユニット１００の第１ユーザインターフェース部３００Ａと、第２精算処理ユニット２００の第２ユーザインターフェース部３００Ｂと、が架台５００の互いに異なる側面（例えば、互いに直交する第１側面５１０及び第２側面５２０）に配置されるようになっている（図１参照）。
【００６１】
第１精算処理ユニット１００及び第２精算処理ユニット２００は、架台５００に対して着脱可能である。
よって、架台５００と第１精算処理ユニット１００及び第２精算処理ユニット２００とを別体にした状態で、精算処理ユニット集合体１０００の設置場所まで運搬することにより、運搬作業の負荷を軽減できる。
【００６２】
なお、例えば、第１精算処理ユニット１００及び第２精算処理ユニット２００を元々所有している事業者に対しては、架台５００だけを販売することにより、当該事業者が元々所有している第１精算処理ユニット１００及び第２精算処理ユニット２００を有効活用して、精算処理ユニット集合体１０００を組み立てることができる。
【００６３】
架台５００に第１精算処理ユニット１００及び第２精算処理ユニット２００を搭載するとともに、架台５００に、第１ディスプレイ７００Ａ、第２ディスプレイ７００Ｂ、第１レシート印刷機８００Ａ、第２レシート印刷機８００Ｂ、第１呼出ランプ部９００Ａ、第２呼出ランプ部９００Ｂ及び目隠し板４００等を搭載することにより、精算処理ユニット集合体１０００を組み立てることができる。
例えば、架台５００の上面５５０等には、目隠し板４００の下端部を挿入して目隠し板４００を固定するためのスリット５５５が形成されていても良い。
また、架台５００の上面５５０には、第１呼出ランプ部９００Ａ、第２呼出ランプ部９００Ｂの下端部を差し込んで、これら第１呼出ランプ部９００Ａ、第２呼出ランプ部９００Ｂを立設させるための、差込固定穴（不図示）が形成されていても良い。
【００６４】
また、図８には、架台５００に第１荷置台６００Ａ及び第２荷置台６００Ｂが固定された状態を示しているが、第１荷置台６００Ａ及び第２荷置台６００Ｂは、架台５００に対して着脱可能となっていても良い。このようにすることにより、架台５００の運搬時等には、第１荷置台６００Ａ及び第２荷置台６００Ｂを架台５００から外した状態とすることができるため、運搬時等における嵩張りを抑制することができる。
【００６５】
架台５００は、例えば、挿入穴用蓋部５１２及び挿入穴用蓋部５２２を備えている。
挿入穴用蓋部５１２は、第１側面５１０の第１上側側面５１５に対して着脱可能に取り付けられて、挿入穴５１１を閉塞することが可能なものである。
同様に、挿入穴用蓋部５２２は、第２側面５２０の第２上側側面５２５に対して着脱可能に取り付けられて、挿入穴５２１を閉塞することが可能なものである。
架台５００に第１精算処理ユニット１００及び第２精算処理ユニット２００を搭載する作業は、挿入穴用蓋部５１２及び挿入穴用蓋部５２２を架台５００から取り外した状態で行う。
一方、架台５００の保管時や運搬時には、挿入穴用蓋部５１２及び挿入穴用蓋部５２２を架台５００に取り付けておくことにより、挿入穴５１１内及び挿入穴５２１への埃等の異物の侵入を抑制することができる。
【００６６】
次に、図９を用いて、精算処理ユニット集合体１０００の使用例を説明する。
【００６７】
図９に示す例では、店舗の売り場には、２つの商品登録台３０００が互いに並列に配置され、これら商品登録台３０００どうしの間で店員１０、２０が接客作業を行うようになっている。
各商品登録台３０００には、購買者による購買商品の登録処理を店員が行うための商品登録装置３１００がそれぞれ載置されている。
商品登録台３０００は、それぞれ一方向に長尺なものであり、その長手方向における一端側に、それぞれ精算処理ユニット集合体１０００が配置されている。
更に、２つの精算処理ユニット集合体１０００が配置された領域を基準として、２つの商品登録台３０００が配置された領域側とは反対側の領域には、購買者が購買商品の袋詰めを行うためのサッカー台３２００が配置されている。
【００６８】
各精算処理ユニット集合体１０００の第１精算処理ユニット１００及び第２精算処理ユニット２００には、識別番号が付与されているものとする。
ここでは、図９における左側の精算処理ユニット集合体１０００の第１精算処理ユニット１００及び第２精算処理ユニット２００の識別番号が、それぞれ１番及び２番であり、図９における右側の精算処理ユニット集合体１０００の第１精算処理ユニット１００及び第２精算処理ユニット２００の識別番号が、それぞれ３番及び４番であるものとする。
これら４つの精算処理ユニットの識別番号は、例えば、対応する精算処理ユニット集合体１０００の上面５５０の対応する位置に立設された標識プレート（図示略）に表示されており、購買者が容易に認識できるようになっている。
【００６９】
店員１０は、一方の商品登録台３０００上の商品登録装置３１００を扱って、購買商品を登録するものとし、店員２０は、他方の商品登録台３０００上の商品登録装置３１００を扱って、購買商品を登録するものとする。
【００７０】
店員１０は、購買者３０の購買商品の登録を終えると、購買者３０の商品登録情報を空いている精算処理ユニット（例えば、識別番号１番の第１精算処理ユニット１００）に転送するとともに、購買者３０に対し、当該精算処理ユニットの識別番号（例えば１番）を伝達する。
この際、店員１０は、例えば、購買者３０の購買商品が入った買い物カゴ（不図示）を当該精算処理ユニットと対応する荷置台（例えば第１荷置台６００Ａ）へ運搬する。
【００７１】
その後、購買者３０は、店員１０から伝達された識別番号の精算処理ユニットにて、精算処理を行う。
精算処理は、例えば、タッチパネルとしての第１ディスプレイ７００Ａに表示される「精算開始ボタン」に対して、購買者３０がタッチ操作を行うことをトリガとして開始される。
続いて、例えば、第１ディスプレイ７００Ａには、代金の支払い方法の選択画面が表示され、現金での支払い、クレジットカードでの支払い、又は、デビットカードでの支払いなどが選択可能となる。
【００７２】
購買者３０が、現金での支払いを選択した場合、第１硬貨用釣銭機３１０Ａ及び第１紙幣用釣銭機３２０Ａは、現金の投入を待機する状態となる。
続いて、購買者３０が、硬貨投入口３１１と紙幣入出金口３２１との少なくとも何れか一方に現金を投入すると、第１精算処理ユニット１００は、投入された現金の計数処理を実行し、計数された金額と「金額確認ボタン」とを第１ディスプレイ７００Ａに表示する。
続いて、購買者３０が、「金額確認ボタン」に対してタッチ操作を行うと、第１精算処理ユニット１００は、釣銭の計算処理を実行し、硬貨出金口３１３及び紙幣入出金口３２１に釣銭を払い出す。
また、第１精算処理ユニット１００は、第１レシート印刷機８００Ａに対し、レシートの印刷処理を実行させ、これを受けて、第１レシート印刷機８００Ａはレシートを印刷し、出力する。
【００７３】
その後、購買者３０は、購買商品が入った買い物カゴを持ってサッカー台３２００に移動し、購買商品の袋詰めを行う。
【００７４】
ここで、図９において店員１０の動線が破線で示されるように、店員１０は、左側の精算処理ユニット集合体１０００の第１精算処理ユニット１００を扱う購買者、左側の精算処理ユニット集合体１０００の第２精算処理ユニット２００を扱う購買者、及び、右側の精算処理ユニット集合体１０００の第１精算処理ユニット１００を扱う購買者に対して、精算処理ユニット集合体１０００の扱い方についてのアドバイスがし易い位置へ、スムーズに移動することができる。
同様に、店員２０は、左側の精算処理ユニット集合体１０００の第２精算処理ユニット２００を扱う購買者、右側の精算処理ユニット集合体１０００の第１精算処理ユニット１００を扱う購買者、及び、右側の精算処理ユニット集合体１０００の第２精算処理ユニット２００を扱う購買者に対して、精算処理ユニット集合体１０００の扱い方についてのアドバイスがし易い位置へ、スムーズに移動することができる。
【００７５】
以上のような第１の実施形態によれば、第１精算処理ユニット１００と第２精算処理ユニット２００とが平面視において重複するように、第２精算処理ユニット２００の上方に第１精算処理ユニット１００が配置されているので、２つの精算処理を並行して行うための設備を省スペース化することができる。
よって、店舗内の限られた設置スペース（平面的なスペース）でより多くの精算処理を並行して行うことが可能となる。
ここで、第１精算処理ユニット１００の第１ユーザインターフェース部３００Ａと第２精算処理ユニット２００の第２ユーザインターフェース部３００Ｂとが精算処理ユニット集合体１０００の互いに異なる側面（例えば架台５００の互いに異なる側面）に配置されているので、第１ユーザインターフェース部３００Ａを扱う第１ユーザと、第２ユーザインターフェース部３００Ｂを扱う第２ユーザとの干渉を抑制することができる。よって、第１ユーザと第２ユーザのそれぞれの精算処理を、スムーズに、且つ、互いのプライバシーを保ちながら行うことができる。
【００７６】
また、第１精算処理ユニット１００が第１硬貨用釣銭機３１０Ａと第１紙幣用釣銭機３２０Ａとを有し、第２精算処理ユニット２００が第２硬貨用釣銭機３１０Ｂと第２紙幣用釣銭機３２０Ｂとを有している場合、第１精算処理ユニット１００及び第２精算処理ユニット２００は、嵩張るものとなる。
このような場合に、第１精算処理ユニット１００と第２精算処理ユニット２００とが平面視において重複するように、第２精算処理ユニット２００の上方に第１精算処理ユニット１００が配置されていることにより、２つの第１精算処理ユニット１００及び第２精算処理ユニット２００の設置スペース（平面的なスペース）の削減効果を特に高めることができる。
【００７７】
また、第１硬貨用釣銭機３１０Ａと第１紙幣用釣銭機３２０Ａとが互いに横並びに配置されていることにより、第１硬貨用釣銭機３１０Ａに対する操作と第１紙幣用釣銭機３２０Ａに対する操作とを同等の高さで行うことができるため、精算処理が容易となる。
同様に、第２硬貨用釣銭機３１０Ｂと第２紙幣用釣銭機３２０Ｂとが互いに横並びに配置されていることにより、第２硬貨用釣銭機３１０Ｂに対する操作と第２紙幣用釣銭機３２０Ｂに対する操作とを同等の高さで行うことができるため、精算処理が容易となる。
【００７８】
また、精算処理ユニット集合体１０００は、第１精算処理ユニット１００の第１ユーザインターフェース部３００Ａが配置された側の領域と、第２精算処理ユニット２００の第２ユーザインターフェース部３００Ｂが配置された側の領域と、を相互に遮蔽する目隠し板４００を有する。よって、第１ユーザ及び第２ユーザは、互いの視線を気にすることなく精算処理を行うことができる。特に、クレジットカードなどを用いて精算処理を行う場合における暗証番号の入力操作の際に、他者の視線が気にならないようにすることができる。
【００７９】
また、本実施形態の場合、架台５００において、第１精算処理ユニット１００の第１ユーザインターフェース部３００Ａが配置された側面である第１側面５１０と、第２精算処理ユニット２００の第２ユーザインターフェース部３００Ｂが配置された側面である第２側面５２０とは、互いに直交している。この場合に、目隠し板４００が、第１側面５１０及び第２側面５２０の双方に対して交差する向きに配置されていることにより、第１ユーザインターフェース部３００Ａが配置された側の領域と、第２ユーザインターフェース部３００Ｂが配置された側の領域とを、１枚の目隠し板４００により効果的に遮蔽することができる。
【００８０】
また、第１精算処理ユニット１００におけるユーザインターフェース部３００Ａ側の側面１１０と、架台５００において第１精算処理ユニット１００のユーザインターフェース部３００Ａが配置された側面である第１側面５１０と、が互いに面一である。これにより、精算処理ユニット集合体１０００における第１側面５１０側がすっきりした外観となっているとともに、店内を移動する人やカートなどが第１精算処理ユニット１００にぶつかってしまうことを抑制できる。
同様に、第２精算処理ユニット２００における第１ユーザインターフェース部３００Ａ側の側面２１０と、架台５００において第２精算処理ユニット２００の第２ユーザインターフェース部３００Ｂが配置された側面である第２側面５２０と、が互いに面一である。これにより、精算処理ユニット集合体１０００における第２側面５２０側がすっきりした外観となっているとともに、店内を移動する人やカートなどが第２精算処理ユニット２００にぶつかってしまうことを抑制できる。
【００８１】
また、第１精算処理ユニット１００の第１ユーザインターフェース部３００Ａを使用する第１ユーザ用の第１荷置台６００Ａと、第２精算処理ユニット２００の第２ユーザインターフェース部３００Ｂを使用する第２ユーザ用の第２荷置台６００Ｂと、が架台５００に設けられている。これにより、第１ユーザ及び第２ユーザが、それぞれ専用の荷置台に荷物を置いた状態で、精算処理を行うことができるため、荷物の取り違い等の発生を抑制できる。
【００８２】
また、第１荷置台６００Ａと第２荷置台６００Ｂとが互いに同じ高さに配置されている場合、手に提げた荷物或いは床に置いた荷物を各荷置台に置く作業の負荷を、各ユーザ間で同等にできる。
【００８３】
なお、より高い位置に配置された第１ユーザインターフェース部３００Ａと対応する第１荷置台６００Ａの方が、より低い位置に配置された第２ユーザインターフェース部３００Ｂと対応する第２荷置台６００Ｂよりも高い位置に配置されていることも好ましい。このようにした場合は、各ユーザインターフェース部３００と各荷置台６００Ａ、６００Ｂとの距離が近くなるため、各ユーザインターフェース部３００を扱いながらも、各荷置台６００Ａ、６００Ｂ上の荷物を各ユーザの監視下に置きやすくなる。
【００８４】
また、第１精算処理ユニット１００を使用する第１ユーザ用の第１ディスプレイ７００Ａと、第２精算処理ユニット２００を使用する第２ユーザ用の第２ディスプレイ７００Ｂと、が架台５００に搭載されているので、第１ユーザ及び第２ユーザが、それぞれ専用のディスプレイを使用して、精算処理を行うことができる。
【００８５】
また、第１ディスプレイ７００Ａと第２ディスプレイ７００Ｂとが互いに同じ高さに配置されている場合、第１ディスプレイ７００Ａを見るときの姿勢（立ち方）と第２ディスプレイ７００Ｂを見るときの姿勢（立ち方）とを同等にすることができる。
【００８６】
また、本実施形態に係る架台５００によれば、複数の側面にそれぞれ形成された挿入穴５１１、５２１に対して、それぞれ第１精算処理ユニット１００及び第２精算処理ユニット２００を挿入することにより、容易に、精算処理ユニット集合体１０００を構築（組み立てる）ことができる。すなわち、限られた設置スペースでより多くの精算処理を並行して行うことを可能とする精算処理ユニット集合体１０００を容易に構築することができる。
【００８７】
また、架台５００は、架台５００の複数の側面に対してそれぞれ着脱可能に取り付けられて挿入穴５１１、５２１を閉塞することが可能な複数の挿入穴用蓋部５１２、５２２を備える。よって、架台５００の保管時や運搬時等には挿入穴用蓋部５１２、５２２によって挿入穴５１１、５２１を塞ぐことができるため、挿入穴５１１、５２１に埃等の異物が侵入してしまうことを抑制することが可能である。
【００８８】
〔第２の実施形態〕
図１０は第２の実施形態に係る精算処理ユニット集合体１０００を手前側から見た斜視図である。
図１１は第２の実施形態に係る精算処理ユニット集合体１０００を奧側から見た斜視図である。
図１２は第２の実施形態に係る精算処理ユニット集合体１０００における第１精算処理ユニット１００及び第２精算処理ユニット２００の配置を示す模式的な斜視図である。
図１３は第２の実施形態に係る精算処理ユニット集合体用の架台５００の斜視図である。
【００８９】
本実施形態に係る精算処理ユニット集合体１０００は、以下に説明する点で、上記の第１の実施形態に係る精算処理ユニット集合体１０００と相違し、その他の点では、第１の実施形態に係る精算処理ユニット集合体１０００と同様に構成されている。
【００９０】
上記の第１の実施形態では、第１ユーザインターフェース部３００Ａと第２ユーザインターフェース部３００Ｂとが、互いに直交する第１側面５１０及び第２側面５２０にそれぞれ配置されている例を説明した。
【００９１】
これに対し、本実施形態の場合、図１０及び図１１に示すように、第１ユーザインターフェース部３００Ａと第２ユーザインターフェース部３００Ｂとは、互いに反対向きの第１側面５１０及び第２側面５２０にそれぞれ配置されている。
【００９２】
本実施形態の場合、架台５００は、例えば、平面視において矩形状に形成されており、互いに反対向きの第１側面５１０及び第２側面５２０と、第１側面５１０と第２側面５２０との間に位置する一対の側面５７０及び５８０と、を有する。
側面５７０と側面５８０とは、例えば、互いに反対向きとなっている。
【００９３】
本実施形態の場合、上面５５０は、高段部５５１と、高段部５５１よりも低段に配置された低段部５５２と、を含んでいる。高段部５５１は、上面５５０における第１側面５１０側の半部であり、低段部５５２は、上面５５０における第２側面５２０側の半部である。
【００９４】
高段部５５１には、第１ディスプレイ７００Ａ、第１レシート印刷機８００Ａ及び第１呼出ランプ部９００Ａが配置され、低段部５５２には、第２ディスプレイ７００Ｂ、第２レシート印刷機８００Ｂ及び第２呼出ランプ部９００Ｂが配置されている。
したがって、第１ディスプレイ７００Ａの方が第２ディスプレイ７００Ｂよりも高い位置に配置されている。
【００９５】
目隠し板４００は、平面視において、高段部５５１と低段部５５２との境界に配置されている。目隠し板４００は、例えば、第１側面５１０及び第２側面５２０に対して平行に配置されている。
【００９６】
第１荷置台６００Ａは、例えば、その一端部が側面５７０に固定され、他端側は、側面５７０を基準として側面５８０側とは反対側に突出している。
同様に、第２荷置台６００Ｂは、例えば、その一端部が側面５８０に固定され、他端側は、側面５８０を基準として側面５７０側とは反対側に突出している。
【００９７】
図１２に示される斜視図から分かるように、第１精算処理ユニット１００と第２精算処理ユニット２００とは、側面１１０と側面２１０とが互いに平行且つ互いに反対向きとなるように配置されている。
【００９８】
図１３に示すように、本実施形態の場合も、架台５００の第１側面５１０には挿入穴５１１が形成されている。また、第２側面５２０には挿入穴５２１（不図示）が形成されている。
本実施形態の場合、挿入穴５１１が開口する方向と、挿入穴５２１が開口する方向とは、互いに反対方向である。
【００９９】
本実施形態の場合も、第１精算処理ユニット１００を、その奥側の部分から、挿入穴５１１に対して水平に挿入し、所定の深さまで押し込むことにより、図１０に示すように第１精算処理ユニット１００が架台５００に搭載された状態となる。
同様に、第２精算処理ユニット２００を、その奥側の部分から、挿入穴５２１に対して水平に挿入し、所定の深さまで押し込むことにより、図１１に示すように第２精算処理ユニット２００が架台５００に搭載された状態となる。
【０１００】
以上のような第２の実施形態によっても、第１の実施形態と同様の効果が得られる。
【０１０１】
なお、本実施形態の場合、第１精算処理ユニット１００及び第２精算処理ユニット２００の形状にも依存するが、第１の実施形態よりも更に精算処理ユニット集合体１０００の省スペース化（平面スペースの削減）が可能である。
例えば、第１精算処理ユニット１００及び第２精算処理ユニット２００が、奥行き方向に長い直方体形状である場合などにおいては、平面視において第１精算処理ユニット１００の幅方向における両端位置と第２精算処理ユニット２００の幅方向における両端位置とを揃えて配置することにより、第１精算処理ユニット１００及び第２精算処理ユニット２００が占める平面スペースの幅寸法を、１つの精算処理ユニット分の幅寸法とすることができる。
【０１０２】
〔第３の実施形態〕
上記の第１の実施形態では、第３側面５３０の第１開口５３１（図４）及び第４側面５４０の第２開口５４１（図５）は、それぞれ、第１精算処理ユニット１００及び第２精算処理ユニット２００の背面側のケーブルの配線作業等を行うためのものである例を説明した。
【０１０３】
ただし、これら第１開口５３１及び第２開口５４１は、第１精算処理ユニット１００及び第２精算処理ユニット２００の一方ずつが挿入される挿入穴として用いることも可能である。
すなわち、架台５００の複数の側面には、第１側面５１０と、第１側面５１０に対して直交する第２側面５２０と、第１側面５１０とは反対向きの第３側面５３０と、第２側面５２０とは反対向きの第４側面５４０と、の４つの側面が含まれており、４つの側面の各々に、挿入穴が形成されている構成とすることができる。
この場合、第１蓋部５３２（図４）及び第２蓋部５４２（図５）は、それぞれ挿入穴用蓋部とみなすことができる。
【０１０４】
このように、架台５００の４つの側面の各々に挿入穴が形成されている場合、挿入穴用蓋部を外して挿入穴を開口させた箇所に、第１精算処理ユニット１００及び第２精算処理ユニット２００を挿入して、精算処理ユニット集合体１０００を組み立てることができる。
よって、店舗内の設置スペースの都合や、店舗毎の第１精算処理ユニット１００及び第２精算処理ユニット２００のユーザインターフェース部３００のレイアウト上のコンセプト等に応じて、架台５００の４つの側面のうち好みの側面に各ユーザインターフェース部３００を配置することができる。
【０１０５】
なお、上記の各実施形態において、第１精算処理ユニット１００と第２精算処理ユニット２００との間（高さ方向において、第１精算処理ユニット１００と第２精算処理ユニット２００との間の位置）には、第１精算処理ユニット１００及び第２精算処理ユニット２００以外の、他の精算処理ユニットが配置されていても良い。
同様に、第１精算処理ユニット１００よりも上方の位置、或いは、第２精算処理ユニット２００よりも下方の位置にも、他の精算処理ユニットが配置されていても良い。
ここで言う他の精算処理ユニットは、例えば、第１精算処理ユニット１００を扱う第１ユーザによる精算処理に用いられるものであっても良いし、第２精算処理ユニット２００を扱う第２ユーザによる精算処理に用いられるものであっても良いし、第１ユーザでも第２ユーザでもない第３ユーザによる精算処理に用いられるものであっても良い。
具体的な例として、例えば、第１精算処理ユニット１００は、第１硬貨用釣銭機３１０Ａと第１紙幣用釣銭機３２０Ａとのうち一方の釣銭機のみを有しているが、他方の釣銭機は有していないものとし、当該他方の釣銭機が、第１精算処理ユニット１００と第２精算処理ユニット２００との間、第１精算処理ユニット１００よりも上方、又は、第２精算処理ユニット２００よりも下方に配置されている構成とすることができる。同様に、第２精算処理ユニット２００は、第２硬貨用釣銭機３１０Ｂと第２紙幣用釣銭機３２０Ｂとのうち一方の釣銭機のみを有しているが、他方の釣銭機は有していないものとし、当該他方の釣銭機が、第１精算処理ユニット１００と第２精算処理ユニット２００との間、第２精算処理ユニット２００よりも下方、又は、第１精算処理ユニット１００よりも上方に配置されている構成とすることができる。
【０１０６】
また、上記の各実施形態では、第１精算処理ユニット１００及び第２精算処理ユニット２００が、硬貨用釣銭機、紙幣用釣銭機及びカード精算用処理部をそれぞれ備えている例を説明した。
ただし、第１精算処理ユニット１００及び第２精算処理ユニット２００は、購買者による購買商品の精算処理を当該購買者が行うことが可能であれば、その他の構成を有していても良い。
例えば、第１精算処理ユニット１００及び第２精算処理ユニット２００は、現金での精算のみが可能なように、硬貨用釣銭機及び紙幣用釣銭機は有しているが、カード精算用処理部は有していない構成であっても良い。
また、現金での精算のみが可能な場合において、第１精算処理ユニット１００及び第２精算処理ユニット２００は、硬貨用釣銭機と紙幣用釣銭機とのうちの何れか一方だけを有していても良い。
或いは、第１精算処理ユニット１００及び第２精算処理ユニット２００は、クレジットカード又はデビットカード等での精算のみが可能なように、カード精算用処理部は有しているが、硬貨用釣銭機及び紙幣用釣銭機は有していない構成であっても良い。
或いは、第１精算処理ユニット１００及び第２精算処理ユニット２００は、電子マネーでの精算が可能となるように、電子マネーによる精算処理を実行する電子マネー精算処理部を備えていても良い。この場合に、第１精算処理ユニット１００及び第２精算処理ユニット２００は、電子マネーでの精算のみが可能なように、電子マネー精算処理部は有しているが、硬貨用釣銭機及び紙幣用釣銭機やカード精算用処理部は有していない構成であっても良い。
なお、電子マネーでの精算が可能な構成のユーザインターフェース部３００は、電子マネーの残高情報等を記憶した記憶媒体（例えば、ＩＣカード等）の情報を読み取る読取装置を含む。ユーザは、読み取り装置に対して、記憶媒体を接触させたり、かざしたりすることにより、記憶媒体に記憶された情報を読取装置に読み取らせる処理を行う。
【０１０７】
また、上記の各実施形態では、主として、精算処理ユニット集合体１０００がセミセルフレジであり、第１精算処理ユニット１００及び第２精算処理ユニット２００が、購買者による購買商品の精算処理を当該購買者が行うための釣銭ユニットである例を説明した。
ただし、上述のように、精算処理ユニット集合体１０００は、購買者による購買商品の精算処理を店員が行うためのレジ（レジスター装置）であっても良い。この場合、第１精算処理ユニット１００及び第２精算処理ユニット２００の各々は、購買者による購買商品の精算処理を店員が行うためのドロアである。
第１精算処理ユニット１００及び第２精算処理ユニット２００がドロアである場合、第１精算処理ユニット１００及び第２精算処理ユニット２００は、店員が操作することにより手前側（側面１１０、２１０側）に飛び出し、店員が側面１１０、２１０を押し込むことにより、元の位置に戻り、ラッチされる。この場合のユーザインターフェース部３００には、少なくとも、飛び出した第１精算処理ユニット１００及び第２精算処理ユニット２００を元の位置に戻すために店員が押圧操作する側面１１０、２１０が含まれる。
【０１０８】
また、上記の各実施形態では、主として、精算処理ユニット集合体１０００がセミセルフレジである例を説明したが、精算処理ユニット集合体１０００は、購買商品の登録処理も購買者が行うように構成された、フルセルフレジであっても良い。この場合、例えば、購買商品の登録処理を行うための、バーコード読み取り装置等の登録装置が、各第１精算処理ユニット１００及び第２精算処理ユニット２００に併設される。
【符号の説明】
【０１０９】
１０ 店員
２０ 店員
３０ 購買者
１００ 第１精算処理ユニット
１１０ 側面
２００ 第２精算処理ユニット
２１０ 側面
３００ ユーザインターフェース部
３００Ａ 第１ユーザインターフェース部
３００Ｂ 第２ユーザインターフェース部
３１０Ａ 第１硬貨用釣銭機
３１０Ｂ 第２硬貨用釣銭機
３１１ 硬貨投入口
３１２ 硬貨リジェクト口
３１３ 硬貨出金口
３２０Ａ 第１紙幣用釣銭機
３２０Ｂ 第２紙幣用釣銭機
３２１ 紙幣入出金口
３３０Ａ 第１カード精算用処理部
３３０Ｂ 第２カード精算用処理部
３３１ カード挿入口
３３２ 入力操作部
４００ 目隠し板
５００ 架台
５１０ 第１側面
５１１ 挿入穴
５１２ 挿入穴用蓋部
５１５ 第１上側側面
５２０ 第２側面
５２１ 挿入穴
５２２ 挿入穴用蓋部
５２５ 第２上側側面
５３０ 第３側面
５３１ 第１開口（挿入穴）
５３２ 第１蓋部（挿入穴用蓋部）
５４０ 第４側面
５４１ 第２開口（挿入穴）
５４２ 第２蓋部（挿入穴用蓋部）
５５０ 上面
５５１ 高段部
５５２ 低段部
５５５ スリット
５６０ 面取り面
５７０ 側面
５８０ 側面
６００Ａ 第１荷置台
６００Ｂ 第２荷置台
７００Ａ 第１ディスプレイ
７００Ｂ 第２ディスプレイ
８００Ａ 第１レシート印刷機
８００Ｂ 第２レシート印刷機
９００Ａ 第１呼出ランプ部
９００Ｂ 第２呼出ランプ部
１０００ 精算処理ユニット集合体
１１００Ａ 領域
１１００Ｂ 領域
３０００ 商品登録台
３１００ 商品登録装置
３２００ サッカー台
【要約】
【課題】限られた設置スペースでより多くの精算処理を並行して行うことを可能とする精算処理ユニット集合体を提供する。
【解決手段】精算処理ユニット集合体１０００は、それぞれユーザインターフェース部３００を一側部に備える第１精算処理ユニット１００及び第２精算処理ユニット２００を有する。第１精算処理ユニット１００と第２精算処理ユニット２００とが平面視において重複するように、第２精算処理ユニット２００の上方に第１精算処理ユニット１００が配置されている。第１精算処理ユニット１００のユーザインターフェース部３００と第２精算処理ユニット２００のユーザインターフェース部３００とが互いに異なる側面に配置されている。
【選択図】図１【図１】
0005811295.tif 000002
【図２】
0005811295.tif 000003
【図３】
0005811295.tif 000004
【図４】
0005811295.tif 000005
【図５】
0005811295.tif 000006
【図６】
0005811295.tif 000007
【図７】
0005811295.tif 000008
【図８】
0005811295.tif 000009
【図９】
0005811295.tif 000010
【図１０】
0005811295.tif 000011
【図１１】
0005811295.tif 000012
【図１２】
0005811295.tif 000013
【図１３】
0005811295.tif 000014